(57)【特許請求の範囲】
【請求項１】
硬貨が投入される硬貨投入口と、
前記硬貨が投入されるように前記硬貨投入口を開放する開放状態と、前記硬貨投入口を閉塞する閉塞状態との間を回動する蓋部材と、
を備え、
前記蓋部材は、
前記開放状態において前記硬貨投入口に投入される前記硬貨が載置される載置部と、
前記開放状態において前記載置部から前記硬貨投入口へ向かう第１方向と交差する第２方向に所定間隔で形成され、前記載置部から前記硬貨投入口へ向かって上るようにスロープ状に形成されている複数の突起部と、
を有し、
前記所定間隔は、前記硬貨の直径よりも小さく、かつ投入される前記硬貨に混在しうる異物の幅よりも大きく、
前記載置部に載置された前記硬貨が、前記第１方向に所定の長さを有する前記突起部上を移動して前記硬貨投入口に投入されることを特徴とする、硬貨取扱装置。
【請求項２】
前記蓋部材は、
前記開放状態において前記突起部よりも前記硬貨投入口側に位置し、前記突起部によって前記硬貨と分離された前記異物の前記硬貨投入口への移動を規制するように突出した規制部を、
更に備えることを特徴とする、請求項１に記載の硬貨取扱装置。
【請求項３】
前記蓋部材は、外周に沿って形成された曲げ部を更に備え、
前記規制部は、前記曲げ部のうちの前記開放状態において前記硬貨投入口側に位置する部分であることを特徴とする、請求項２に記載の硬貨取扱装置。
【請求項４】
前記規制部は、前記第２方向に沿って隣り合う前記突起部を繋ぐ連結部であることを特徴とする、請求項２又は３に記載の硬貨取扱装置。
【請求項５】
前記連結部は、
前記開放状態において前記硬貨投入口側に位置する第１連結部と、
前記第１方向において前記第１連結部よりも前記硬貨投入口から離れて位置し、前記第１連結部よりも突出高さが低い第２連結部と、
であることを特徴とする、請求項４に記載の硬貨取扱装置。
【請求項６】
前記蓋部材は、隣り合う前記突起部の間に位置し前記硬貨と前記異物のうちの前記異物を吸い付ける磁石部を更に備えることを特徴とする、請求項１〜５のいずれか１項に記載の硬貨取扱装置。
【請求項７】
前記蓋部材は、隣り合う前記突起部の間に位置し毛先によって前記硬貨に付着した異物を取り除くブラシ部を更に備えることを特徴とする、請求項１〜６のいずれか１項に記載の硬貨取扱装置。
【請求項８】
前記蓋部材は、
前記第２方向に沿って隣り合う前記突起部の間に形成され、前記突起部によって前記硬貨と分離された前記異物が通過可能な異物通過穴と、
前記異物通過穴を開放又は閉塞するシャッタと、
を更に備え、
前記シャッタによって前記異物通過穴が開放された際に、前記異物が前記異物通過穴を通過して前記蓋部材よりも下方に移動することを特徴とする、請求項１〜７のいずれか１項に記載の硬貨取扱装置。
【請求項９】
前記シャッタは、前記蓋部材の前記開放状態と前記閉塞状態の間の回動に連動してスライドし、
前記蓋部材が前記開放状態にある際に、前記シャッタが前記異物通過穴を開放することを特徴とする、請求項８に記載の硬貨取扱装置。
【発明の詳細な説明】
【技術分野】
【０００１】
本発明は、硬貨取扱装置に関し、より詳細には、硬貨が投入される硬貨投入口を開放又は閉塞する蓋部材を有する硬貨取扱装置に関する。
【背景技術】
【０００２】
硬貨取扱装置として、例えば店舗等に設置されたレジスターの硬貨を管理する硬貨処理装置がある。この硬貨処理装置は、硬貨を一括して受け入れた後、硬貨の数を計り、各硬貨の硬貨認識を行って金種を判別し、判別結果に応じて硬貨を振り分けて出金する。
【０００３】
上記の硬貨取扱装置は、硬貨が投入される硬貨投入口と、硬貨投入口を開放又は閉塞する蓋部材とを有する。蓋部材が硬貨投入口を開放した状態で、硬貨が硬貨投入口に一括投入される。
【０００４】
下記の特許文献１に記載の自動釣銭機は、硬貨投入口を開閉すると共に閉止状態で硬貨投入口に投入する硬貨の受け皿を兼用するトレイを有する。自動釣銭機のキャッシャは、トレイ上の硬貨を目視で確認し、硬貨を硬貨投入口へ投入するためにトレイの開操作を行う。
【先行技術文献】
【特許文献】
【０００５】
【特許文献１】特開平８−３０５９２５号公報
【発明の概要】
【発明が解決しようとする課題】
【０００６】
ところで、硬貨投入口へ投入される硬貨の中に、異物（例えば、クリップやホッチキスの針）が含まれることがある。このような異物が硬貨と共に硬貨投入口に投入されると、その後の硬貨取扱装置の処理（例えば、硬貨計数処理）に不具合が発生する恐れがある。
【０００７】
また、前述した特許文献１の自動釣銭機では、キャッシャがトレイ上の硬貨を目視するため、硬貨中に混在する異物を見落とす可能性がある。かかる場合には、異物も硬貨投入口へ投入されてしまう。
【０００８】
そこで、本発明は、上記問題に鑑みてなされたものであり、本発明の目的とするところは、硬貨投入口に投入される硬貨に混在しうる異物を適切に分離することが可能な硬貨取扱装置を提供することにある。
【課題を解決するための手段】
【０００９】
上記課題を解決するために、本発明のある観点によれば、硬貨が投入される硬貨投入口と、前記硬貨が投入されるように前記硬貨投入口を開放する開放状態と、前記硬貨投入口を閉塞する閉塞状態との間を回動する蓋部材と、を備え、前記蓋部材は、前記開放状態において前記硬貨投入口に投入される前記硬貨が載置される載置部と、前記開放状態において前記載置部から前記硬貨投入口へ向かう第１方向と交差する第２方向に所定間隔で形成され、前記載置部から前記硬貨投入口へ向かって上るようにスロープ状に形成されている複数の突起部と、を有し、前記所定間隔は、前記硬貨の直径よりも小さく、かつ投入される前記硬貨に混在しうる異物の幅よりも大きく、前記載置部に載置された前記硬貨が、前記第１方向に所定の長さを有する前記突起部上を移動して前記硬貨投入口に投入されることを特徴とする、硬貨取扱装置が提供される。
【００１０】
かかる硬貨取扱装置によれば、硬貨投入口に一括投入されるべく載置部に載置された硬貨は、突起部上を移動するので、幅が所定間隔よりも小さい異物は突起部上を移動しない。このため、硬貨に異物が混在していても、突起部によって異物が硬貨と分離されるので、異物が硬貨投入口に誤って投入されることを防止できる。
【００１２】
また、前記蓋部材は、前記開放状態において前記突起部よりも前記硬貨投入口側に位置し、前記突起部によって前記硬貨と分離された前記異物の前記硬貨投入口への移動を規制するように突出した規制部を、更に備えることとしても良い。
【００１３】
また、前記蓋部材は、外周に沿って形成された曲げ部を更に備え、前記規制部は、前記曲げ部のうちの前記開放状態において前記硬貨投入口側に位置する部分であることとしても良い。
【００１４】
また、前記規制部は、前記第２方向に沿って隣り合う前記突起部を繋ぐ連結部であることとしても良い。
【００１５】
また、前記連結部は、前記開放状態において前記硬貨投入口側に位置する第１連結部と、前記第１方向において前記第１連結部よりも前記硬貨投入口から離れて位置し、前記第１連結部よりも突出高さが低い第２連結部と、であることとしても良い。
【００１６】
また、前記蓋部材は、隣り合う前記突起部の間に位置し前記硬貨と前記異物のうちの前記異物を吸い付ける磁石部を更に備えることとしても良い。
【００１７】
また、前記蓋部材は、隣り合う前記突起部の間に位置し毛先によって前記硬貨に付着した異物を取り除くブラシ部を更に備えることとしても良い。
【００１８】
また、前記蓋部材は、前記第２方向に沿って隣り合う前記突起部の間に形成され、前記突起部によって前記硬貨と分離された前記異物が通過可能な異物通過穴と、前記異物通過穴を開放又は閉塞するシャッタと、を更に備え、前記シャッタによって前記異物通過穴が開放された際に、前記異物が前記異物通過穴を通過して前記蓋部材よりも下方に移動することとしても良い。
【００１９】
また、前記シャッタは、前記蓋部材の前記開放状態と前記閉塞状態の間の回動に連動してスライドし、前記蓋部材が前記開放状態にある際に、前記シャッタが前記異物通過穴を開放することとしても良い。
【発明の効果】
【００２０】
以上説明したように本発明によれば、硬貨投入口に投入される硬貨に混在しうる異物を適切に分離できる。
【図面の簡単な説明】
【００２１】
【図１】比較例に係る硬貨取扱装置７００の構成を示す斜視図である。
【図２】図１のＡ−Ａ断面図である。
【図３】第１の実施形態に係る硬貨取扱装置１００の構成を示す斜視図である。
【図４】図３のＢ−Ｂ断面図である。
【図５】所定間隔Ｌの大きさを説明するための図である。
【図６】第２の実施形態に係る投入口蓋１３０を示す図である。
【図７】第２の実施形態の変形例に係る投入口蓋１３０を示す図である。
【図８】第３の実施形態に係る投入口蓋１３０を示す図である。
【図９】第４の実施形態に係る硬貨取扱装置１００の構成を示す斜視図である。
【図１０】第４の実施形態に係る投入口蓋２３０の構成を示す分解斜視図である。
【図１１】図１０のＣ−Ｃ断面図である。
【図１２】シャッタ２６０がスライドするメカニズムを説明するための図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜１．比較例＞
本実施形態に係る硬貨取扱装置を説明する前に、図１及び図２を参照しながら、比較例に係る硬貨取扱装置７００の構成について説明する。図１は、比較例に係る硬貨取扱装置７００の構成を示す斜視図である。図２は、図１のＡ−Ａ断面図である。
【００２４】
硬貨取扱装置７００は、使用者が硬貨を一括投入すると、例えば一括投入された硬貨の計数処理や判別処理等を行う。図１に示すように、硬貨取扱装置７００は、装置筐体７１０と、硬貨投入部７２０と、投入口蓋７３０とを有する。
【００２５】
装置筐体７１０は、硬貨投入部７２０から投入された硬貨を処理するユニット（例えば、硬貨計数ユニット、硬貨判別ユニット）等を有する。
【００２６】
硬貨投入部７２０は、装置筐体７１０の上方に設けられ、使用者によって硬貨が投入される。硬貨投入部７２０は、装置筐体７１０の面から上方に突出するように形成されている。硬貨投入部７２０は、硬貨投入口７２２と側壁７２４とを有する。硬貨投入口７２２は、矩形状の開口であり、硬貨が一括して投入される。側壁７２４は、硬貨投入口７２２の周囲に突出するように設けられている。
【００２７】
投入口蓋７３０は、硬貨投入口７２２を閉塞可能な部材である。投入口蓋７３０は、連結部７３２を介して硬貨投入部７２０に対して開閉自在に取り付けられている。投入口蓋７３０は、連結部７３２を中心に図１の矢印Ｒに示すように開閉する。投入口蓋７３０が開いた状態で、硬貨投入口７２２から硬貨が投入され、投入口蓋７３０が閉じた状態では、硬貨投入口７２２へ硬貨が投入できない。
【００２８】
ところで、従来において、硬貨を投入口蓋７３０に投入する際には、投入口蓋７３０を開けて直接硬貨を硬貨投入口７３０へ一括投入している。このため、硬貨を一括投入される際に、硬貨の中に混在している異物（例えば、クリップやホッチキスの針）も投入されることがある。このように異物が硬貨投入口７３０へ投入されると、その後の処理（硬貨計数処理等）に不具合が発生する恐れがある。
【００２９】
これに対して、比較例に係る投入口蓋７３０は、硬貨投入口７２２に硬貨以外の異物が入らないようにする機能を有する。具体的には、使用者は、開いた状態の投入口蓋７３０の裏面７３４に硬貨（図２に示す硬貨Ｃ）を一旦置き、手で異物を取り除く。その後、使用者は、裏面７３４上の硬貨を図２の矢印Ｘの方向へ移動させて、硬貨投入口７２２へ移動させる。
【００３０】
しかし、比較例の場合であっても、使用者が手で異物を取り除くので、異物が取り除かれず残留するケースがある。このように異物が残留している状態で硬貨等を図２の矢印Ｘ方向に移動させると、異物も硬貨投入口７２２に投入されることになり、その後の処理に不具合が発生する恐れがある。
【００３１】
そこで、本実施形態に係る硬貨処理装置は、上記の問題を解決すべく、詳細は後述するが、硬貨に混在する異物を硬貨から分離する突起部を有する。このような突起部を設けることで、使用者によって取り除かれなかった異物を分離できるので、異物が硬貨投入口に投入されることを防止できる。
【００３２】
＜２．第１の実施形態＞
以下においては、本実施形態に係る硬貨取扱装置として、４つの実施形態（第１〜第４の実施形態）に係る硬貨取扱装置を例に挙げて説明する。
【００３３】
まず、図３及び図４を参照しながら、第１の実施形態に係る硬貨取扱装置１００の構成について説明する。図３は、第１の実施形態に係る硬貨取扱装置１００の構成を示す斜視図である。図４は、図３のＢ−Ｂ断面図である。なお、図３には、硬貨取扱装置１００の一部のみが示されている。
【００３４】
第１の実施形態に係る硬貨取扱装置１００は、使用者が硬貨を一括投入すると、例えば一括投入された硬貨の計数処理や判別処理等を行う。図３に示すように、硬貨処理装置１００は、装置筐体１１０と、硬貨投入部１２０と、蓋部材の一例である投入口蓋１３０とを有する。
【００３５】
装置筐体１１０は、硬貨投入部１２０から投入された硬貨を処理するユニット（例えば、硬貨計数ユニット、硬貨判別ユニット）等を有する。
【００３６】
硬貨投入部１２０は、装置筐体１１０の上方に設けられ、使用者によって硬貨が投入される。硬貨投入部１２０は、装置筐体１１０の面から上方に突出するように形成されている。硬貨投入部１２０は、硬貨投入口１２２と、側壁１２４とを有する。
【００３７】
硬貨投入口１２２には、硬貨が一括して投入される。硬貨投入口１２２は、硬貨投入部１２０の中央側に形成された矩形状の開口である。硬貨投入口１２２から投入された硬貨は、装置筐体１１０内に落下する。
【００３８】
側壁１２４は、硬貨投入口１２２の周囲を覆うように、設けられている。側壁１２４は、硬貨投入口１２２へ向かって斜面を有し、硬貨投入部１２０に投入される硬貨が、硬貨投入口１２２へ向かって移動しやすくなる。
【００３９】
投入口蓋１３０は、硬貨投入口１２２を閉塞可能な部材である。投入口蓋１３０は、硬貨が硬貨投入口１２２に投入されるように硬貨投入口１２２を開放する開放状態（図３に示す状態）と、硬貨投入口１２２を閉塞する閉塞状態との間を回動する。投入口蓋１３０は、両端に設けられた連結部１３２を介して硬貨投入部１２０に対して回動自在に取り付けられている。投入口蓋１３０は、連結部１３２を中心に図１の矢印Ｒに示すように回動する。
【００４０】
投入口蓋１３０の開放状態で、使用者は、投入口蓋１３０の裏面１３４に硬貨（図４に示す硬貨Ｃ）を置くことができる。このため、裏面１３４が、硬貨投入口１２２に投入される硬貨が載置される載置部に該当する。
【００４１】
投入口蓋１３０は、裏面１３４側の外周の４辺に沿って突出形成された曲げ部１３６ａ〜１３６ｄを有する。この曲げ部１３６ａ〜１３６ｄによって、裏面１３４上には所定量の硬貨を載置できる。
【００４２】
投入口蓋１３０は、開放状態において裏面１３４から硬貨投入部１２２へ向かう第１方向（図３に示すＹ方向）と交差する第２方向（図３に示すＸ方向）に所定間隔Ｌで形成された複数の突起部の一例である硬貨分離突起１４０を有する。具体的には、硬貨分離突起１４０は、曲げ部１３６ｄが形成された１辺にわたって、曲げ部１３６ｄの近傍に所定間隔Ｌで複数設けられている。
【００４３】
複数の硬貨分離突起１４０は、それぞれ第１方向に所定の長さを有する。使用者は、裏面１３４に載置された硬貨を、隣り合う硬貨分離突起１４０上を移動させて硬貨投入口１２２へ落下させる。硬貨分離突起１４０は、裏面１３４から硬貨投入口１２２へ向かって上るようにスロープ状に形成されている。
【００４４】
硬貨分離突起１４０は、突出度合いが小さい第１突起部１４０ａと、突起度合いが大きく第１突起部１４０ａと繋がっている第２突起部１４０ｂとを有する。第２突起部１４０ｂは、曲げ部１３６ｄと繋がっている。なお、第１突起部１４０ａの高さは、曲げ部１３６ｄの高さよりも低く、第２突起部１４０ｂの高さは、曲げ部１３６ｄの高さよりも高い。
【００４５】
ここで、図５を参照しながら、所定間隔Ｌの大きさについて説明する。図５は、所定間隔Ｌの大きさを説明するための図である。所定間隔Ｌは、投入される硬貨の直径よりも小さい。投入される硬貨が複数有り、かつ各硬貨の直径が異なる場合には、直径が最も小さい硬貨の直径よりも小さくなるように、所定間隔Ｌが設定される。また、所定間隔Ｌは、一括投入される硬貨に混在しうる異物の幅よりも大きいように設定されている。所定間隔Ｌは、例えばクリップやホッチキスの針（図５に示す異物Ｄ）の幅よりも大きくなるように設定されている。
【００４６】
上述したように、所定間隔Ｌで硬貨分離突起１４０を複数設けることで、使用者は、裏面１３４上の硬貨を、硬貨分離突起１４０上に乗り上げて、硬貨投入口１２２へ移動させることができる。特に、硬貨分離突起１４０がスロープ状に形成されているので、使用者が硬貨を移動させるときに、硬貨が硬貨分離突起１４０に引っ掛かり難い。この結果、一括投入される硬貨が、硬貨投入口１２２へスムーズに移動しやすくなる。
【００４７】
一方で、異物の幅は、所定間隔Ｌよりも小さいので、異物は、硬貨分離突起１４０上に乗り上がらず、図４に示すように隣り合う硬貨分離突起１４０の間に位置する。このように、硬貨分離突起１４０によって、硬貨を硬貨投入口１２２に向かって移動させる際に、硬貨と異物を容易に分離できる。これに伴い、使用者は、裏面１３４上に硬貨を置いた後に、手で異物を取り除く作業を行わなくても異物を分離できるので、硬貨と異物を分離する作業時間を大幅に短縮できる。
【００４８】
また、前述した曲げ部１３６ａ〜１３６ｄのうちの投入口蓋１３０の開放状態において硬貨投入口１２２側に位置する曲げ部１３６ｄは、隣同士の硬貨分離突起１４０の間に位置する異物が、硬貨投入口１２２へ移動することを規制する（塞き止める）。すなわち、曲げ部１３６ｄが、投入口蓋１３０の開放状態において硬貨分離突起１４０よりも硬貨投入口１２２側に位置し、硬貨分離突起１４０によって硬貨と分離された異物の硬貨投入口１２２への移動を規制するように突出した規制部として機能する。
【００４９】
これにより、異物は、突起１３６ｄと硬貨分離突起１４０に囲まれて、残留することになる。そして、使用者が、硬貨を硬貨投入口１２２へ投入した後に、残留する異物を取り除くことで、その後に投入口蓋１３０を閉じても異物が硬貨投入口１２２に投入されることを防止できる。
【００５０】
上述した第１の実施形態によれば、硬貨投入口１２２に一括投入されるべく裏面１３４に載置された硬貨は、硬貨分離突起１４０上を移動するので、幅が所定間隔Ｌよりも小さい異物は硬貨分離突起１４０上を移動しない。このため、硬貨に異物が混在していても、硬貨分離突起１４０によって異物が硬貨と分離されるので、異物が硬貨投入口１２２に誤って投入されることを防止できる。
【００５１】
また、曲げ部１３６ｄを設ける場合には、硬貨分離突起１４０によって硬貨と分離された異物は、曲げ部１３６ｄによって硬貨投入口１２２への移動を塞き止められる。このため、分離された異物が硬貨投入口１２２へ誤って投入されることをより有効に防止できる。
【００５２】
＜３．第２の実施形態＞
図６を参照しながら、第２の実施形態に係る硬貨取扱装置１００の構成について説明する。図６は、第２の実施形態に係る投入口蓋１３０を示す図である。
【００５３】
第２の実施形態は、第１の実施形態に対して投入口蓋１３０の構成が異なり、その他の構成は、第１の実施形態と同様である。このため、以下においては、主に投入口蓋１３０の構成について説明する。
【００５４】
第２の実施形態に係る投入口蓋１３０の裏面１３４には、第１の実施形態で説明した硬貨分離突起１４０及び曲げ部１３６ａ〜１３６ｄに加えて、図６に示すように隣り合う硬貨分離突起１４０を繋ぐ連結部の一例であるリブ１５０を複数有する。具体的には、リブ１５０は、第２方向に沿って隣り合う第２突起部１４０ｂを繋ぐ。
【００５５】
リブ１５０は、硬貨分離突起１４０と同様に、曲げ部１３６ｄが形成された１辺にわたって設けられている。すなわち、リブ１５０は、曲げ部１３６ｂと曲げ部１３６ｃの間を繋げている。リブ１５０の高さは、第２突起部１４０ｂの高さより低い一方で、曲げ部１３６ｄと同じ高さである。リブ１５０は、曲げ部１３６ｄと同様に、隣同士の硬貨分離突起１４０の間に位置する異物が、硬貨投入口１２２へ移動することを塞き止める機能を有する。
【００５６】
このように、第２の実施形態では、曲げ部１３６ｄ及びリブ１５０が異物を塞き止める（２段階で異物を塞き止める）ので、異物が硬貨投入口１２２に移動することをより有効に防止できる。なお、リブ１５０が隣り合う硬貨部分突起１４０を繋ぐように設けられているので、投入口蓋１３０の剛性を高めることができる。
【００５７】
なお、上記では、隣り合う硬貨分離突起１４０の第２突起部１４０ｂを繋ぐリブ１５０を設けることとしたが、これに限定されない。例えば、図７に示すように、隣り合う硬貨分離突起１４０の第１突起部１４０ａを繋ぐ第２リブ１５２を設けても良い。
【００５８】
図７は、第２の実施形態の変形例に係る投入口蓋１３０を示す図である。変形例に係る投入口蓋１３０は、第１連結部の一例であるリブ１５０と、第２連結部の一例である第２リブ１５２とを有する。リブ１５０は、投入口蓋１３０の開放状態において硬貨投入口１２２側に位置し、第２リブ１５２は、第１方向においてリブ１５０よりも硬貨投入口１２２から離れて位置する。また、第２リブ１５２の突出高さは、リブ１５０の突出高さよりも低い。
【００５９】
上記の構成の第２リブ１５２も、リブ１５０と同様に、硬貨と分離された異物が硬貨投入口１２２へ移動することを塞き止める。このような変形例によれば、リブ１５０、第２リブ１５２、及び曲げ部１３６ｄが、３段階で異物を塞き止めるので、異物が硬貨投入口１２２に移動することをより一層有効に防止できる。
【００６０】
また、リブ１５０の代わりに第２リブ１５２を設ける構成であっても良い。かかる構成であっても、第２リブ１５２及び曲げ部１３６ｄが、硬貨と分離した異物の移動を２段階で塞き止めることができる。
【００６１】
上述した第２の実施形態によれば、リブ１５０、第２リブ１５２を設ける場合には、硬貨分離突起１４０によって硬貨と分離された異物は、リブ１５０、第２リブ１５２によって硬貨投入口１２２への移動を塞き止められる。このため、分離された異物が硬貨投入口１２２へ誤って投入されることをより有効に防止できる。特に、リブ１５０、第２リブ１５２と曲げ部１３６ｄを併用することで、多段階で異物を塞き止めるので、分離された異物が硬貨投入口１２２へ誤って投入されることを一層有効に防止できる。
【００６２】
＜４．第３の実施形態＞
図８を参照しながら、第３の実施形態に係る硬貨取扱装置１００の構成について説明する。図８は、第３の実施形態に係る投入口蓋１３０を示す図である。
【００６３】
第３の実施形態は、第１の実施形態に対して投入口蓋１３０の構成が異なり、その他の構成は、第１の実施形態と同様である。このため、以下においては、主に投入口蓋１３０の構成について説明する。
【００６４】
第３の実施形態に係る投入口蓋１３０の裏面１３４には、第１の実施形態で説明した硬貨分離突起１４０及び突起１３６ａ〜１３６ｄに加えて、隣り合う硬貨分離突起１４０の間に位置する磁石部１６０を有する。
【００６５】
磁石部１６０は、図８（ａ）に示すように隣り合う硬貨分離突起１４０の第１突起部１４０ａの間に位置する。磁石部１６０は、磁力により、硬貨と異物（クリップやホッチキスの針）のうちの異物を吸い付けて、硬貨と異物を分離する。これにより、硬貨に付着した異物を、硬貨から確実に分離できる。
【００６６】
上述した磁石部１６０に代えて、隣り合う硬貨分離突起１４０の間にブラシ部１６２を設けても良い。例えば、ブラシ部１６２は、図８（ｂ）に示すように隣り合う硬貨分離突起１４０の第１突起部１４０ａの間に位置する。そして、ブラシ部１６２の毛先が、第１突起部１４０ａよりも突出して、硬貨分離突起１４０上を乗り上がる硬貨に付着した異物を取り除く。この結果、硬貨から異物を確実に分離できる。
【００６７】
なお、磁石部１６０とブラシ部１６２の両方を設けても良い。かかる場合には、硬貨に付着した異物を、硬貨から一層容易に分離できる。また、第２の実施形態で説明したリブ１５０、第２リブ１５２と共に、磁石部１６０、ブラシ部１６２を併用しても良い。
【００６８】
上述した第３の実施形態によれば、磁石部１６０やブラシ部１６２を設ける場合には、硬貨分離突起１４０によって適切に分離されないように硬貨に異物が張り付いていても、磁石部１６０が異物を吸い付け、又はブラシ部１６２の毛先が異物を取り除く。このため、硬貨に付着した異物を、硬貨から確実に分離できる。
【００６９】
＜５．第４の実施形態＞
図９〜図１１を参照しながら、第４の実施形態に係る硬貨取扱装置１００の構成について説明する。図９は、第４の実施形態に係る硬貨取扱装置１００の構成を示す斜視図である。図１０は、第４の実施形態に係る投入口蓋２３０の構成を示す分解斜視図である。図１１は、図１０のＣ−Ｃ断面図である。なお、図９は、図１に示す開いた状態の投入口蓋１３０とは異なり、閉じた状態の投入口蓋２３０を示している。
【００７０】
上記では、硬貨を硬貨投入口１２２へ投入した後に、使用者は、硬貨分離突起１４０によって分離されて突起１３６ｄと硬貨分離突起１４０の間に残留する異物を手で取り除くこととした。これに対して、以下に説明する第４の実施形態では、硬貨分離突起１４０によって分離された異物が、使用者が取り除かなくても、自動で取り除かれる。
【００７１】
第４の実施形態に係る硬貨取扱装置１００は、図９に示すように、装置筐体１１０と、硬貨投入部１２０と、投入口蓋２３０と、シャッタ開閉突起２８０とを有する。なお、装置筐体１１０及び硬貨投入部１２０の構成は、第１の実施形態と同様であるので、説明は省略する。
【００７２】
投入口蓋２３０は、第１の実施形態と同様に、硬貨投入部２３０に開閉可能に連結される連結部２３２と、裏面２３４に形成された曲げ部２３６ａ〜２３６ｄ及び硬貨分離突起とを有する。また、投入口蓋２３０は、図１０に示すように、蓋本体２３１と、シャッタ２６０と、バネ２７０とを有する。
【００７３】
蓋本体２３１は、異物が通過する異物通過穴２４２を有する。異物通過穴２４２は、蓋本体２３１を貫通する穴であり、第２方向に沿って隣り合う硬貨分離突起１４０の間に形成されている。そして、硬貨分離突起２４０によって硬貨と分離された異物は、異物通過穴２４２を通過する。異物通過穴２４２を通過した異物は、蓋本体２３１よりも下方に移動し、装置筐体１１０上に位置する。これにより、硬貨分離突起２４０によって硬貨と分離された異物が、投入口蓋２３０が閉じる際に硬貨投入口１２２に落下することを防止できる。
【００７４】
シャッタ２６０は、蓋本体２３１の裏面２３４の反対側の面２３３側に取り付けられている。シャッタ２６０は、図９に示すＹ方向にスライドすることで、異物通過穴２４２を閉塞し、又は開放する。例えば、シャッタ２６０は、投入口蓋２３０が図１に示す開状態の場合に異物通過穴２４２を開放し、図９に示す閉状態の場合に異物通過穴２４２を閉塞する。
【００７５】
シャッタ２６０は、投入口蓋２３０の開状態と閉状態の間の回動に連動して、スライドする。具体的には、シャッタ２６０は、蓋本体２３１に設けられた長穴２４３に沿ってスライドするボス２６２を２つ有する。２つのボス２６２の先端側が、図１１に示すようにビス２６４によって固定されて、シャッタ２６０が投入口蓋２３０から外れないようになっている。これにより、シャッタ２６０は、投入口蓋２３０の回動に連動して、長穴２４３に沿ってスライドする。
【００７６】
バネ２７０は、シャッタ２６０が閉状態となるように（すなわち、シャッタ２６０が異物通過穴２４２を閉塞するように）、シャッタ２６０の曲げ部２６６を付勢する。すなわち、バネ２７０は、シャッタ２６０を図１１に示す方向Ｙ１に押している。バネ２７０は、シャッタ２６０と蓋本体２３１の間に位置し、バネ２７０の一端側が蓋本体２３１に形成された穴２４４に挿入されてセットされ、バネ２７０の他端側が蓋本体２３１に形成された長穴２４５に挿入されてセットされている。
【００７７】
シャッタ開閉突起２８０は、図９に示すように筐体装置１１０上の硬貨投入部１２０の近傍に設けられている。シャッタ開閉突起２８０は、投入口蓋２３０が開状態に位置する際に、シャッタ２６０に接触してシャッタ２６０を開く。
【００７８】
具体的には、蓋本体２３１には、図１０に示すようにシャッタ開閉突起２８０が入り込み可能な凹部２４６が形成されている。シャッタ開閉突起２８０は、投入口蓋２３０が開状態へ移動する際に、凹部２４６に入り込み、シャッタ２６０の角部２６７に接触する。シャッタ２６０が角部２６７に接触した状態で投入口蓋２３０が開状態へ更に移動すると、図１２に示す方向Ｙ２に角部２６７を押す。
【００７９】
図１２は、シャッタ２６０がスライドするメカニズムを説明するための図である。図１２に示す方向Ｙ２は、図１１の方向Ｙ１の逆方向であり、シャッタ開閉機構２８０は、バネ２７０の付勢力に抗いシャッタ２６０を開くことになる。これにより、投入口蓋２３０が開状態の場合には、異物通過穴２４２が開放されるので、硬貨分離突起２４０によって硬貨から分離された異物が、異物通過穴２４２を通過して装置筐体２１０上に位置する。
【００８０】
投入口蓋２３０が開状態から閉状態へ移動する際には、シャッタ開閉突起２８０が角部２６７に接触しなくなるので、シャッタ２６０は、バネ２７０の付勢力によって異物通過穴２４２を閉塞する。
【００８１】
なお、上記では、シャッタ２６０が投入口蓋２３０に回動に連動して自動でスライドすることとしたが、これに限定されない。例えば、使用者が、シャッタ２６０を手動でスライドすることとしても良い。また、上記では、投入口蓋２３０が開放状態のときに異物通過穴２４２が開放されていることとしたが、これに限定されない。例えば、硬貨の投入後に投入口蓋２３０が回動する際に、異物通過穴２４２が開放されることとしても良い。
【００８２】
上述した第４の実施形態によれば、異物通過穴２４２とシャッタ２６０を設ける場合には、硬貨分離突起１４０によって硬貨と分離された異物は、開放された異物通過穴２４２を通過して装置筐体１１０上に移動するので、異物が硬貨投入口１２２へ投入されることをより有効に防止できる。また、分離された異物が裏面１３４上に残留した状態を防止できるので、投入口蓋２３０が閉じる際に異物が硬貨投入口１２２に落下することを防止できる。更に、使用者は、硬貨分離突起１４０によって分離されて突起１３６ｄと硬貨分離突起１４０の間に残留する異物を手で取り除く必要も無くなる。
【００８３】
＜６．まとめ＞
第１〜第４の実施形態で説明したように、硬貨取扱装置１００は、投入口蓋１３０の開放状態において裏面１３４から硬貨投入口１２２へ向かう第１方向（図３のＹ方向）と交差する第２方向（図３のＸ方向）に所定間隔Ｌで形成された複数の硬貨分離突起１４０を有する。ここで、所定間隔Ｌは、硬貨の直径よりも小さく、かつ投入される硬貨に混在しうる異物の幅よりも大きい。そして、裏面１３４に載置された硬貨が、第１方向に所定の長さを有する硬貨分離突起１４０上を移動して硬貨投入口１２２に至る。
【００８４】
かかる構成によって、硬貨投入口１２２に投入されるべく裏面１３４に載置された硬貨は、硬貨分離突起１４０上を移動するので、幅が所定間隔Ｌよりも小さい異物は硬貨分離突起１４０上を移動しない。このため、硬貨に異物が混在していても、硬貨分離突起１４０によって異物が硬貨と分離されるので、異物が硬貨投入口１２２に誤って投入されることを防止できる。この結果、異物が投入されることに起因して硬貨取扱装置１００の処理に不具合が発生することを防止できる。
【００８５】
また、硬貨分離突起１４０によって硬貨と分離された異物は、曲げ部１３６ｄやリブ１５０、第２リブ１５２によって硬貨投入口１２２への移動を塞き止められ、又は、異物通過穴２４２から装置筐体１１０上に移動するので、分離された異物が硬貨投入口１２２へ投入されることをより有効に防止できる。
【００８６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８７】
１００    硬貨取扱装置
１１０    装置筐体
１２０    硬貨投入部
１２２    硬貨投入口
１３０    投入口蓋
１３４    裏面
１３６ａ〜１３６ｄ    曲げ部
１４０    硬貨分離突起
１４０ａ    第１突起部
１４０ｂ    第２突起部
１５０    リブ
１５２    第２リブ
１６０    磁石
１６２    ブラシ部
２３０    投入口蓋
２４２    異物通過穴
２６０    シャッタ
２７０    バネ
２８０    シャッタ開閉突起
【図１】
0005899785.tif 000002
【図２】
0005899785.tif 000003
【図３】
0005899785.tif 000004
【図４】
0005899785.tif 000005
【図５】
0005899785.tif 000006
【図６】
0005899785.tif 000007
【図７】
0005899785.tif 000008
【図８】
0005899785.tif 000009
【図９】
0005899785.tif 000010
【図１０】
0005899785.tif 000011
【図１１】
0005899785.tif 000012
【図１２】
0005899785.tif 000013